(57)【要約】【課題】塗装を施した後の作業時間が短くなって塗装作業を効率的に行うことができる塗装用マスキングシート固定具を提供する。【解決手段】塗装用マスキングシート固定具１は、帯状に延びる平坦な底面２ｅを有する可撓性長尺体２を有し、磁性体からなる車体表面１０に着脱可能に磁気を帯びている。長尺体２の一側面には、新聞紙４を車体表面１０と底面２ｅとの間に挟み込んで固定した状態において、底面２ｅの一側縁部から底面２ｅの他側縁部の反対側に進むにつれて次第に車体表面１０から離れるように延びる第１傾斜面部２ｂが長尺体２の長手方向一端から他端に亘って設けられる。【選択図】図３
2020121243.tif 000002
【特許請求の範囲】
【請求項１】
帯状に延びる平坦な底面を有する長尺状をなし、且つ、磁性体からなる車体表面に着脱可能に磁気を帯びており、塗装用マスキングシートを上記車体表面と上記底面との間に挟み込んで固定可能な可撓性長尺体を備えた塗装用マスキングシート固定具であって、
上記長尺体の一側面には、上記塗装用マスキングシートを上記車体表面に固定した状態において、上記底面の一側縁部から当該底面の他側縁部の反対側に進むにつれて次第に上記車体表面から離れるように延びる第１傾斜面部が上記長尺体の長手方向一端から他端に亘って設けられていることを特徴とする塗装用マスキングシート固定具。
【請求項２】
請求項１に記載の塗装用マスキングシート固定具において、
上記長尺体の一側面には、中途部が外側方に張り出す断面半円状の湾曲面部が上記長尺体の長手方向一端から他端に亘って設けられ、
上記第１傾斜面部は、上記湾曲面部の上記底面との連続部分で構成されていることを特徴とする塗装用マスキングシート固定具。
【請求項３】
請求項１又は２に記載の塗装用マスキングシート固定具において、
上記可撓性長尺体は、弾力性を有するゴム材又は樹脂材で形成され、その内部には、少なくとも１つの中空部が長手方向に所定の間隔をあけて形成され、
上記中空部には、磁石が埋設されていることを特徴とする塗装用マスキングシート固定具。
【請求項４】
請求項１又は２に記載の塗装用マスキングシート固定具において、
上記長尺体は、弾力性を有するゴム材又は樹脂材で形成され、その内部には、多数の磁気を帯びた粒状体が上記長尺体の全域に亘って散りばめられていることを特徴とする塗装用マスキングシート固定具。
【請求項５】
請求項１から４のいずれか１つに記載の塗装用マスキングシート固定具において、
上記長尺体の他側面には、上記底面との間の断面が鋭角をなすように上記底面の他側縁部から上記長尺体の一側面側に傾斜して延びる第２傾斜面部が上記長尺体の長手方向一端から他端に亘って設けられていることを特徴とする塗装用マスキングシート固定具。
【請求項６】
請求項５に記載の塗装用マスキングシート固定具において、
上記第２傾斜面部は、外側方に張り出すように断面が湾曲状をなしていることを特徴とする塗装用マスキングシート固定具。
【請求項７】
請求項５又は６に記載の塗装用マスキングシート固定具において、
上記第２傾斜面部の延出端は、上記湾曲面部における上記底面との連続部分とは反対側の縁部に連続していることを特徴とする塗装用マスキングシート固定具。
【発明の詳細な説明】
【技術分野】
【０００１】
本発明は、自動車の車体表面に塗装を施す際において、車体表面における塗装領域以外の非塗装領域に塗料が付着しないように当該非塗装領域を覆う塗装用マスキングシートを車体表面に固定するための固定具に関する。
【背景技術】
【０００２】
従来より、自動車の修理等を行う際に車体表面の一部領域にのみ塗装を施す場合があり、その際、塗装領域以外の非塗装領域を新聞紙等の塗装用マスキングシートで覆って当該非塗装領域に塗装作業時における塗料が付着するのを防ぐようにする必要がある。
【０００３】
ところで、上述の如き塗装用マスキングシートは、粘着テープを用いて車体表面に固定するのが一般的であるが、作業が煩雑であるという問題がある。
【０００４】
これを回避するために、例えば、特許文献１では、塗装作業の簡素化を目的として、車体表面に着脱可能な固定具を用いて塗装用マスキングシートを車体表面に固定するようにしている。上記固定具は、帯状に延びる長尺状をなす可撓性を有する磁石体を備え、該磁石体の一側部は、端縁に行くにつれて次第に厚みが薄くなる断面形状をなす一方、磁石体の他側部には、塗装用マスキングシートが接続されている。そして、車体表面における塗装領域と非塗装領域との境界部分に磁石体の一側縁部が一致するように、且つ、塗装用マスキングシートが非塗装領域を覆うように固定具を車体表面の形状に沿うように変形させながら固定した後、塗装作業を行うようにしている。
【先行技術文献】
【特許文献】
【０００５】
【特許文献１】実開昭６０−１８９３５９号公報
【発明の概要】
【発明が解決しようとする課題】
【０００６】
ところで、特許文献１の如き固定具を利用して塗装を行う場合、塗装後に固定具を車両表面から取り外すと、車両表面における塗装領域と非塗装領域との境界部分において塗料が固定具の一側面に沿って固まってしまい、当該部分に階段状の段差が発生してしまう。特に下地塗装等においては塗装後に形成される塗膜の厚みが厚いので、顕著に段差が発生してしまう。したがって、その塗装の上にそのまま上塗り塗装等を行うと、段差部分を起因として塗装不良になるので、上塗り塗装の前にサンドペーパーを用いて時間を掛けて塗装の段差を無くす作業が必要になり、塗装作業が煩雑になるという問題が生じる。
【０００７】
本発明は、斯かる点に鑑みてなされたものであり、その目的とするところは、塗装を施した後の作業時間が短くなって塗装作業を効率的に行うことができる塗装用マスキングシート固定具を提供することにある。
【課題を解決するための手段】
【０００８】
上記の目的を達成するために、本発明は、固定具を用いて塗装用マスキングシートを車体表面に固定する際に固定具と車体表面との間に断面鋭角な空間が形成されるようにしたことを特徴とする。
【０００９】
具体的には、帯状に延びる平坦な底面を有する長尺状をなし、且つ、磁性体からなる車体表面に着脱可能に磁気を帯びており、塗装用マスキングシートを上記車体表面と上記底面との間に挟み込んで固定可能な可撓性長尺体を備えた塗装用マスキングシート固定具において、次のような解決手段を講じた。
【００１０】
すなわち、第１の発明では、上記長尺体の一側面には、上記塗装用マスキングシートを上記車体表面に固定した状態において、上記底面の一側縁部から当該底面の他側縁部の反対側に進むにつれて次第に上記車体表面から離れるように延びる第１傾斜面部が上記長尺体の長手方向一端から他端に亘って設けられていることを特徴とする。
【００１１】
第２の発明では、第１の発明において、上記長尺体の一側面には、中途部が外側方に張り出す断面半円状の湾曲面部が上記長尺体の長手方向一端から他端に亘って設けられ、上記第１傾斜面部は、上記湾曲面部の上記底面との連続部分で構成されていることを特徴とする。
【００１２】
第３の発明では、第１又は第２の発明において、上記可撓性長尺体は、弾力性を有するゴム材又は樹脂材で形成され、その内部には、少なくとも１つの中空部が長手方向に所定の間隔をあけて形成され、上記中空部には、磁石が埋設されていることを特徴とする。
【００１３】
第４の発明では、第１又は第２の発明において、上記長尺体は、弾力性を有するゴム材又は樹脂材で形成され、その内部には、多数の磁気を帯びた粒状体が上記長尺体の全域に亘って散りばめられていることを特徴とする。
【００１４】
第５の発明では、第１から第４のいずれか１つの発明において、上記長尺体の他側面には、上記底面との間の断面が鋭角をなすように上記底面の他側縁部から上記長尺体の一側面側に傾斜して延びる第２傾斜面部が上記長尺体の長手方向一端から他端に亘って設けられていることを特徴とする。
【００１５】
第６の発明では、第５の発明において、上記第２傾斜面部は、外側方に張り出すように断面が湾曲状をなしていることを特徴とする。
【００１６】
第７の発明では、第５又は第６の発明において、上記第２傾斜面部の延出端は、上記湾曲面部における上記底面との連続部分とは反対側の縁部に連続していることを特徴とする。
【発明の効果】
【００１７】
第１の発明では、車体表面における塗装領域と非塗装領域との境界部分に長尺体の第１傾斜面部が対応するように、且つ、塗装用マスキングシートが非塗装領域を覆うように長尺体を車体表面の形状に沿うように変形させながら固定した後、塗装領域に対して塗装を行うと、塗装領域と非塗装領域との境界部分における車体表面と第１傾斜面部との間に塗料が入り込むので、車体表面と第１傾斜面部との間に入り込んだ塗料が固まって端部に行くにつれて次第に厚みが薄くなる形状の塗膜が形成される。したがって、塗装を施した後にサンドペーパーを用いて作業する時間が短くなるか、或いは、サンドペーパーを用いた作業を無くすことができるようになり、塗装作業を効率的に行うことができる。
【００１８】
第２の発明では、作業者が把持する際の触感が良くなるので、操作のし易い固定具にすることができる。
【００１９】
第３の発明では、長尺体を磁石の磁力によって車体表面に簡単に着脱させることができる。また、作業者が把持する部分が弾性力を有するゴム材又は樹脂材で構成されるようになるので、作業者が把持する際の触感をさらに良くすることができる。それに加えて、磁石が埋設された各中空部の間の可撓性を有する領域によって長尺体が全体的に曲がり易くなるので、車体表面の形状が複雑であってもそれに沿わせて塗装用マスキングシートを固定することができる。
【００２０】
第４の発明では、長尺体を磁石の磁力によって車体表面に簡単に着脱させることができる。また、長尺体における各粒状体の間の領域が弾力性を有するゴム材又は樹脂材で構成されるようになるので、長尺体の形状を第３の発明よりもさらに所望の形に変形させ易くなり、車体表面の形状が複雑であってもそれに沿わせて塗装用マスキングシートを固定することができる。
【００２１】
第５の発明では、車体表面における塗装領域と非塗装領域との境界部分に長尺体の第２傾斜面部の先端が一致するように、且つ、塗装用マスキングシートが非塗装領域を覆うように長尺体を車体表面の形状に沿うように変形させながら固定した後、塗装手段を用いて塗装領域から非塗装領域に跨るように塗装領域に対して塗料を吹き付ける際、長尺体があっても塗装手段から吹き出す塗料が第２傾斜面部に沿って塗装領域から離れる方向に滑らかに移動するようになり、塗装手段から吹き出す塗料が長尺体に遮られて塗装領域側に跳ね返ってしまうといったことが少なくなる。したがって、塗装領域に付着する塗料の膜厚が塗装領域の非塗装領域との境界部分だけ厚くなってしまうといったことを避けることができる。また、長尺体の第１傾斜面部側において塗装を行う場合とは異なる使用方法で塗装できるので、塗装方法の選択肢が増えて使い勝手の良い固定具にすることができる。
【００２２】
第６の発明では、第２傾斜面部が平面形状の場合に比べて、長尺体の他側方の厚みが増すようになる。したがって、剛性の高い固定具にすることができる。
【００２３】
第７の発明では、長尺体の断面が略滴形状となるので、意匠性が高く、見栄えの良い固定具にすることができる。
【図面の簡単な説明】
【００２４】
【図１】本発明の実施形態１に係る塗装用マスキングシート固定具の斜視図である。
【図２】本発明の実施形態１に係る塗装用マスキングシート固定具を用いて車体表面に塗装を行っている状態を示す斜視図である。
【図３】図２のIII−III線における断面図である。
【図４】本発明の実施形態１に係る塗装用マスキングシート固定具を図２及び図３とは異なる使用方法で用いて車体表面に塗装を行っている状態を示す断面図である。
【図５】本発明の実施形態２に係る図３相当図である。
【発明を実施するための形態】
【００２５】
以下、本発明の実施形態を図面に基づいて詳細に説明する。尚、以下の好ましい実施形態の説明は、本質的に例示に過ぎない。
【００２６】
《発明の実施形態１》
図１は、本発明の実施形態１に係る塗装用マスキングシート固定具１を示す。該塗装用マスキングシート固定具１は、例えば、図２及び図３に示すように、自動車の修理等を行う際に車体表面１０の塗装領域Ｒ１以外の非塗装領域Ｒ２を新聞紙４（塗装用マスキングシート）で覆うように当該新聞紙４を車体表面１０に固定して非塗装領域Ｒ２に塗装作業時における塗料が付着するのを防ぐようにするものであり、細長い形状をなす可撓性長尺体２を備えている。
【００２７】
該長尺体２は、弾力性を有する樹脂材からなる本体部２０を備え、該本体部２０の下部には、長尺体２の長手方向に帯状に延びる平坦な底面２ｅが形成されている。
【００２８】
本体部２０の内部には、複数の中空部２ｄが長尺体２の長手方向に所定の間隔を明けて形成され、各中空部２ｄには、磁石３がそれぞれ埋設されている。
【００２９】
すなわち、長尺体２は、磁性体からなる車体表面１０に着脱可能に磁気を帯びており、新聞紙４を車体表面１０と底面２ｅとの間に挟み込んで固定可能になっている。
【００３０】
本体部２０の一側面には、中途部が外測方に張り出す断面半円状の湾曲面部２ａが長尺体２の長手方向一端から他端に亘って設けられ、湾曲面部２ａの下端縁部は、底面２ｅの一側縁部に連続している。
【００３１】
つまり、長尺体２の一側面には、新聞紙４を車体表面１０に固定した状態において、底面２ｅの一側縁部から底面２ｅの他側縁部の反対側に進むにつれて次第に車体表面１０から離れるように延びる第１傾斜面部２ｂが長尺体２の長手方向一端から他端に亘って設けられ、該第１傾斜面部２ｂは、湾曲面部２ａの底面２ｅとの連続部分で構成されている。
【００３２】
湾曲面部２ａの表面は、その全域に亘って起伏が小さな凹凸面となっていて、新聞紙４が接触した際に当該新聞紙４との接触面積が減るようになっている。
【００３３】
一方、本体部２０の他側面には、底面２ｅとの間の断面が鋭角をなすように底面２ｅの他側縁部から本体部２０の一側面側に傾斜して延びる第２傾斜面部２ｃが長尺体２の長手方向一端から他端に亘って設けられている。
【００３４】
該第２傾斜面部２ｃは、外側方に張り出す断面が緩やかな湾曲状をなしていて、その延出端は、湾曲面部２ａにおける底面２ｅとの連続部分とは反対側の縁部に連続している。
【００３５】
つまり、長尺体２の断面は、略滴形状をなしている。
【００３６】
第２傾斜面部２ｃの表面は、その全域に亘って起伏が小さな凹凸面となっていて、新聞紙４が接触した際に当該新聞紙４との接触面積が減るようになっている。
【００３７】
次に、塗装用マスキングシート固定具１を用いて車体表面１０に塗装を施す際について詳述する。
【００３８】
まず作業者は、図２に示すように、例えば、車体表面１０における塗装境界線１０ａに長尺体２における底面２ｅの一側縁部が対応するように、且つ、新聞紙４が塗装領域Ｒ１側に位置するように新聞紙４を車体表面１０と底面２ｅとの間に挟み込んだ後、長尺体２を覆うように新聞紙４を折り返して当該新聞紙４が非塗装領域Ｒ２を覆うようにする。このとき、長尺体２は、可撓性を有しているので、長尺体２を車体表面１０の形状に沿うように変形させながら新聞紙４を車体表面１０に固定することができる。
【００３９】
次に、作業者は、図３に示すように、塗装スプレー５を把持して塗装領域Ｒ１に向けて塗料を吹き付ける。すると、車体表面１０における塗装領域Ｒ１に塗膜６が形成される。尚、便宜上、図３の塗膜６の厚みの寸法を大きく記載している。このとき、塗装領域Ｒ１と非塗装領域Ｒ２との境界部分における車体表面１０と第１傾斜面部２ｂとの間に塗料が入り込むので、車体表面１０と第１傾斜面部２ｂとの間に入り込んだ塗料が固まって端部に行くにつれて次第に厚みが薄くなる尖鋭部６ａを有する塗膜６が形成される。
【００４０】
その後、固定具１及び新聞紙４を車体表面１０から取り外した後、サンドペーパーを用いて仕上げ作業を行う。その際、尖鋭部６ａによって塗装の塗膜６の端部がなだらかになっているので、サンドペーパーによる仕上げ作業に掛かる時間が少なくなるか、或いは、サンドペーパーによる仕上げ作業をする必要が無くなる。このように、塗装を施した後にサンドペーパーを用いて作業する時間が短くなるか、或いは、サンドペーパーを用いた作業を無くすことができるようになり、塗装作業を効率的に行うことができる。尚、固定具１及び新聞紙４を車体表面１０から取り外す際、湾曲面部２ａ及び第２傾斜面部２ｃの表面が凹凸形状になっているので、例えば、クリア塗料を用いた塗装のように、新聞紙４を介して固定具１にまで塗料が浸透して固化するような場合であっても、新聞紙４と固定具１との間の接触面積を小さくして固定具１から新聞紙４を剥がれ易くすることができる。
【００４１】
次に、塗装用マスキングシート固定具１を図２及び図３に示す使用方法とは異なる使用方法で車体表面１０に塗装を施す場合について詳述する。
【００４２】
まず作業者は、図４に示すように、車体表面１０における塗装境界線１０ａに長尺体２における底面２ｅの他側縁部（第２傾斜面部２ｃの先端）が一致するように、且つ、新聞紙４が塗装領域Ｒ１側に位置するように新聞紙４を車体表面１０と底面２ｅとの間に挟み込んだ後、長尺体４を覆うように新聞紙４を折り返して当該新聞紙４が非塗装領域Ｒ２を覆うようにする。このとき、長尺体２は、可撓性を有しているので、長尺体２を車体表面１０の形状に沿うように変形させながら新聞紙４を固定することができる。
【００４３】
次に、作業者は、塗装スプレー５を把持して塗装領域Ｒ１に向けて塗料を吹き付ける。すると、車体表面１０における塗装領域Ｒ１に塗膜６が形成される。このとき、塗装スプレー５を塗装領域Ｒ１から非塗装領域Ｒ２に跨るように塗装領域Ｒ１に対して塗料を吹き付ける際、長尺体２があっても塗装スプレー５から吹き出す塗料が第２傾斜面部２ｃに沿ってＸ１方向に塗装領域Ｒ１から離れるように滑らかに移動するようになり、塗装スプレー５から吹き出す塗料が長尺体２に遮られて塗装領域Ｒ１側に跳ね返ってしまうといったことが少なくなる。したがって、塗装領域Ｒ１に付着する塗料の膜厚が塗装領域Ｒ１の非塗装領域Ｒ２との境界部分だけ厚くなってしまうといったことを避けることができる。
【００４４】
このように、塗装用マスキングシート固定具１は、長尺体２の第１傾斜面部２ｂ側において塗装を行う場合とは異なる使用方法で塗装できるので、塗装方法の選択肢が増えて使い勝手が良い。
【００４５】
以上より、本発明の実施形態１によると、塗装を施した後にサンドペーパーを用いて作業する時間が短くなるか、或いは、サンドペーパーを用いた作業を無くすことができるようになり、塗装作業を効率的に行うことができる。
【００４６】
また、長尺体２の一側面が断面半円状をなしているので、作業者が把持する際の触感が良くなり、操作のし易い固定具１にすることができる。
【００４７】
また、固定具１は、本体部２０の各中空部２ｄに磁石３が埋設されているので、長尺体２を各磁石３の磁力によって車体表面１０に簡単に着脱させることができる。
【００４８】
また、作業者が把持する部分が弾力性を有する樹脂材で構成されるようになるので、作業者が把持する際の触感をさらに良くすることができる。それに加えて、磁石３が埋設された各中空部２ｄの間の可撓性を有する領域によって長尺体２が曲がり易くなるので、車体表面１０の形状が複雑であってもそれに沿わせて新聞紙４を固定することができる。
【００４９】
また、第２傾斜面部２ｃは、外側方に張り出すように断面が湾曲状をなしているので、第２傾斜面部２ｃが平面形状の場合に比べて、長尺体２の他側方の厚みが増すようになる。したがって、剛性の高い固定具１にすることができる。
【００５０】
また、本発明の実施形態１の固定具１は、湾曲面部２ａ、第２傾斜面部２ｃ及び底面２ｅによって長尺体２の断面が略滴形状となるので、意匠性が高く、見栄えの良い固定具１にすることができる。
【００５１】
《発明の実施形態２》
図５は、本発明の実施形態２に係る塗装用マスキングシート固定具１を示す。この実施形態２では、長尺体２の一部構造が実施形態１と異なっており、その他は実施形態１と同じであるため、以下、実施形態１と異なる部分のみを説明する。
【００５２】
実施形態２の長尺体２は、弾力性を有するゴム体で形成され、その内部には、多数の磁気を帯びた粒状体７が長尺体２の全域に亘って散りばめられている。尚、便宜上、図４の各粒状体７を大きく記載している。
【００５３】
また、実施形態２の第１傾斜面部２ｂは、底面２ｅの一側縁部から当該底面２ｅの他側縁部の反対側に進むにつれて次第に車体表面１０から離れるように真っ直ぐに傾斜して延びている。
【００５４】
さらに、実施形態２の第２傾斜面部２ｃは、底面２ｅとの間の断面が鋭角をなすように底面２ｅの他側縁部から長尺体２の一側面側に真っ直ぐに傾斜して延びている。
【００５５】
尚、塗装用マスキングシート固定具１を用いて車体表面１０に塗装を施す手順は、実施形態１と同じであるので、詳細な説明は省略する。
【００５６】
以上より、本発明の実施形態２によると、長尺体２を当該長尺体２の内部に散りばめられた各粒状体７の磁力によって車体表面１０に簡単に着脱させることができる。
【００５７】
また、長尺体２における各粒状体７の間の領域が弾力性を有するゴム材で構成されるようになるので、長尺体２の形状を実施形態１の構造よりもさらに所望の形に変形させ易くなり、車体表面１０の形状が複雑であってもそれに沿わせて新聞紙４を固定することができる。
【００５８】
尚、本発明の実施形態１，２では、長尺体２における一側面の上半部分が断面円弧状をなしているが、これに限らず、その他の形状であってもよい。
【００５９】
また、本発明の実施形態１，２では、長尺体２の他側面に第２傾斜面部２ｃが形成されているが、第２傾斜面部２ｃを形成することが必須ではない。
【００６０】
また、本発明の実施形態１，２では、塗装用マスキングシートとして新聞紙４を用いているが、これに限らず、その他の種類のシートを用いてもよい。
【００６１】
また、本発明の実施形態１では、長尺体２の内部に６つの磁石３が埋設されているが、その他の数の磁石３を長尺体２の内部に埋設するようにしてもよい。
【００６２】
尚、本発明の実施形態１，２の固定具１は、上塗り塗装や下地塗装、或いは、クリア塗装等、あらゆる塗装に用いることができる。
【００６３】
また、本発明の実施形態１，２に係る固定具１は、上述の如き使用例以外にも、車体表面１０のあらゆる部位の塗装作業時において、塗装用マスキングシートを車体表面１０に固定するのに使用することができる。
【産業上の利用可能性】
【００６４】
本発明は、自動車の車体表面に塗装を施す際において、車体表面における塗装領域以外の非塗装領域に塗料が付着しないように当該非塗装領域を覆う塗装用マスキングシートを車体表面に固定するための固定具に適している。
【符号の説明】
【００６５】
１        塗装用マスキングシート固定具
２        長尺体
２ａ        湾曲面部
２ｂ        第１傾斜面部
２ｃ        第２傾斜面部
２ｄ        中空部
２ｅ        底面
３        磁石
４        新聞紙（塗装用マスキングシート）
１０        車体表面        
【図１】
2020121243.tif 000003
【図２】
2020121243.tif 000004
【図３】
2020121243.tif 000005
【図４】
2020121243.tif 000006
【図５】
2020121243.tif 000007